(57)【要約】【課題】一枚のシート材から額縁を作成し、組み立てた後も分解することなく、容易に内容物を交換できる額縁を提供する。  【解決手段】一枚のシート材で構成され、本体部１の四辺に形成されたフラップ部１０、２０、３０、４０を折り曲げることにより作成される額縁。内容物は、挿入口７０を介して枠部にて形成される溝９０にて固定される。これにより額を分解することなく容易に内容物の交換ができる。【選択図】  図１
2007097855.tif 000002
【特許請求の範囲】
【請求項１】
本体部（１）とそれらを囲む四辺に形成された枠部と、からなる額縁であって、当該額縁は、前記本体部と該本体部の四辺に各々延設されたフラップ部とからなる一枚のシート材にて構成され、前記シート材の各フラップ部を折り曲げ、第２フラップに備えられた接着部（５０）を本体部に接着することにより、溝（９０）が形成されるとともに、写真、絵画等の内容物が挿入口（７０）を介して挿入され、前記溝にて固定されることを特徴とする額縁。  
【請求項２】
前記本体部とは、別体の再剥離可能な台紙（９５）により構成され、前記溝部の内周に沿った外形を有し、前記挿入口を介し前記溝にて固定されると共に、前期内周よりも小さな内容物を前記台紙に貼り付けることにより、掲示が可能となることを特徴とする額縁。
【請求項３】
前記本体部に、切り込み線（８７）により形成される菱型のスタンド（８０）と、切り込み線（８４）により形成されるスタンド保持部（８２）とが折込み線（８１）及び（８３）にて起立させ、挿し込み口（８５）にて連結され、スタンド部（８８）が形成され、更にスタンド保持部切り込み（８２ａ）により開脚角度を規制したことを特徴とする額縁。
【発明の詳細な説明】
【技術分野】
【０００１】
本発明は、写真などを飾るための組立て式額縁に関するものである。
【背景技術】
【０００２】
従来、シート材を用いた組立て式の額縁は、組立てたシート材を糊や両面テープ等で接着することが多く、組立て後の内容物の入れ換えが事実上不可能であった上に、内容物を一定の定められたサイズにする必要があった。  
【発明の開示】
【発明が解決しようとする課題】
【０００３】
従来の組立て式額縁は、組み立てた後糊や両面テープで固定するため、内容物を取り出したり、交換使用とした時、額縁を分解する必要があった。
【０００４】
また、従来の組立て式額縁は内容物の大きさが一定の範囲で定められており、その範囲は狭く、額縁の内周を大きく下回る物は、内容物として適さなかった。
【０００５】
本発明は、こうした問題に鑑みなされたものであり、内容物の交換が容易で、内容物の掲示サイズの種類を大幅に拡げた組立て式の額縁を提供することを目的とする。
【課題を解決するための手段】
【０００６】
かかる目的を達成するためになされた請求項１記載の発明は、本体部（１）とそれらを囲む四辺に形成された枠部と、からなる額縁であって、当該額縁は、前記本体部と該本体部の四辺に各々延設されたフラップ部とからなる一枚のシート材にて構成され、前記シート材の各フラップ部を折り曲げ、第２フラップに備えられた接着部を本体部に接着することにより、溝が形成されるとともに、写真、絵画等の内容物が挿入口を介して挿入され、前記溝にて固定されることを特徴とする。
【０００７】
次に、請求項２記載の発明は、請求項１記載の額縁において前記本体部とは、別体の再剥離可能な台紙により構成され、溝部の内周に沿った外形を有し、挿入口を介し溝部にて固定されると共に、前記内周よりも小さな写真、絵画等の内容物を前記台紙に貼り付けることにより、掲示が可能となることを特徴とする。
【０００８】
次に、請求項３記載の発明は、前記本体部に、切り込み線（８７）により形成される菱型のスタンド（８０）と、切り込み線（８２ａ）により形成されるスタンド保持部（８２）とが折込み線（８１）及び（８３）にて起立させ、挿し込み口（８５）にて連結され、スタンド部（８８）が形成され、更にスタンド保持部切り込み（８２ａ）により開脚角度を規制したことを特徴とする。
【発明の効果】
【０００９】
本発明は、上記手段を講じたことにより、写真、絵画等の内容物が挿入口を介して縁部形成部の溝に沿って額縁内に収納、保持される。よって１枚のシートからなる額縁を組み立てた後でも、額縁を分解することなく内容物の入替えの際も極めて容易に行うことができる。
【００１０】
また、本体部とは別体の溝部の内周に沿った外形を有した再剥離可能な台紙により、前記内周よりも小さな写真や絵画等も、前記台紙に貼付することにより、収納が可能となる。近年は、写真においてもＬサイズ、ＤＳＣサイズ、ポストサイズといろいろなサイズでプリントされている。またカードゲームに使用するカード等も額縁に入れて飾ることがある。これらの内容物のサイズに対応した額縁をそれぞれ用意することなく、一つの額縁でまかなうことができる。
【００１１】
卓上等に額縁を立て置きする場合、菱形のスタンドとスタンド保持部を挿し込み口にて連結し、切り込み部にて固定され、スタンド部が形成される。一枚のシート材に切り込みを入れることにより、スタンド部を別パーツとすることなく、形成することができる。又菱形である為、縦、横どちらの方向にも安定して立て置きすることができる。
【発明を実施するための最良の形態】
【００１２】
以下に本発明の一実施形態を図面に基づいて説明する。
本実施形態の額縁は、やや厚みのある紙を用いた１枚のシート材からなり、図１の展開図に示す形状のシート材を折り曲げて組み立てることで完成されるもので、写真や絵画等などを飾るためのものである。なお、以下の説明において、「谷折り」とは紙面の上面側が凹となる折り曲げを意味する。
【００１３】
まず、図１の展開図に基づいて本実施形態の額縁の各部の構成を説明する。額縁を形成する一枚のシート材は、中央の本体部１と、その本体部１の四辺から第１折線１３、２３、３３、４３を介して延出された、額部を形成するフラップ部１０、２０、３０、４０とで構成されている。フラップ部１０と３０、２０と４０は、それぞれ本体部１をはさんだ対向位置に形成され形状を等しくしている。
【００１４】
フラップ部１０（３０）は、第１フラップ部１１（３１）と、第２フラップ部１２（３２）と、折り曲げ可能で本体部１の四辺に平行な、第１折線１３（３３）、第２折線１４（３４）、第３折線１５（３５）とで構成されている。第１フラップ部１１（３１）は、本体部１から第１折線１３（３３）を介して延出されている。第２フラップ部は、１２（３２）は、第１フラップ部１１（３１）から更に第２折線１４（３４）を介して延出されている。第１フラップ部１１（３１）は、第３折線１５（３５）を折り曲げることで２つの面１１ａと１１ｂとに分けられる。第１フラップ部１１（３１）は、本体部１から延出方向に向かって徐々に幅が狭くなるように台形形状に形成されており、また、第２フラップ部１２（３２）は、その両端が前記台形の上辺から垂直方向に延びた長方形に形成されており、その裏面には接着部５０として両面テープが貼り付けられており、本体部１に貼り付けるようになっている。
【００１５】
フラップ部２０（４０）は、第１フラップ部２１（４１）と、第２フラップ部２２（４２）と、折り曲げ可能で本体部１の四辺に平行な、第１折線２３（４３）、第２折線２４（４４）、第３折線２５（４５）と、後述の第４折線２６（４６）とで構成されている。第１フラップ部２１（４１）は、本体部１から第１折線２３（４３）を介して延出されている。第２フラップ部２２（４２）は、第１フラップ部２１（４１）は、第３折線２５（４５）と第４折線２６（４６）を折り曲げることで３つの面２１ａ（４１ａ）と２１ｂ（４１ｂ）、２１ｃ（４１ｃ）とに分けられる。第１フラップ部２１（４１）は、本体部１から第３折線２５（４５）に向かう方向で徐々に狭くなり、第３折線２５（４５）から更に第２折線２４（４４）に向かう方向で徐々に広がっていくように山型に切り込んだ形状に加えて、面２１ａ（４１ａ）は、フラップ部１０（３０）、２０（４０）を折り曲げて枠部１８（３８）、２８（４８）を形成した際に、隣接する枠部どうしの隙間を埋めたり、強度を増す働きがある。第２フラップ部２２（４２）は、その両端が第２折線２４（４４）から垂直方向に延びた長方形に形成されており、その裏面には接着部５０として両面テープが貼り付けられており、折り曲げて枠部２８（４８）を形成した際に、本体部１に貼り付けるようになっている。
【００１６】
次に、以上のように構成されたシート材の組み立て方を述べる。まず、各フラップ部１０〜４０において、第１折線１３〜４３、第２折線１４〜４４、第３折線１５〜４５を各々、谷折りにすると共に、各フラップ部２０、４０の第４折線２６、４６を谷折りにする。
【００１７】
次に、フラップ部２０、４０の第２フラップ部２２、４２の上辺が、第１折線２３、４３に重なるように内側に向かって巻き込み、その状態を保ちながら第２フラップ部２２、４２の裏面にある接着部５０の両面テープを本体部１に貼り付ける。その次にフラップ部１０、３０を同様の手順で貼り付けることにより額縁を作ることが出来る。
【００１８】
図４は、上記のとおり折り曲げ組み立てられた額縁枠部の断面図である。接着材５０の幅が第２フラップ部３２より狭くしてある為に溝９０が形成される。また各辺にも溝９０は同様に形成される。これにより挿入口７０から挿入された内容物は、枠部の溝９０に沿って額縁に収納され、図５に示すように溝９０により保持される。
【００１９】
図３は、シート材とは別体となる再剥離可能な台紙である。ある程度の厚みのある紙の表面に再剥離可能な接着剤を貼付し、表面にフイルム等を貼付する。写真や絵画等の内容物を再剥離可能な接着材を貼付した紙とフイルムの間に貼り付けることにより、種々のサイズの内容物に置いても額縁に掲示可能である。前記の再剥離可能な台紙は、四辺の枠部に設けられた各溝の内周に沿った外形を有する。  
【００２０】
図２は、額縁組立て後の背面斜視図である。本体部１に切り込み線８７で形成され、折込み線８１で起立させる菱型のスタンドと、切り込み線８４で形成され折込み線８３により起立されるスタンド保持部８２を、挿し込み口８５に挿し込み連結さスタンド部８８を形成する。また開脚角度を一定に保ち安定したスタンドとするために、スタンド保持部切り込み８２ａを設けている。これにより常に一定のところで挿し込みを止めることができる。また上記のように本体部１の一部を利用しているため、不必要な場合は畳んでおけば良く邪魔にならない。
【００２１】
卓上等に額縁を立て置きする場合、スタンド部８８により可能となる。横方向に置く場合は、スタンドの８７ａの辺が卓上等の面に接し立てることができ、縦方向に置く場合は、スタンドの８７ｂの辺が卓上等の面に接し安定して立てることができる。
【００２２】
以上、本発明の一実施形態について説明したが、本発明は上記実施形態に限定されるものではなく、種々の態様を採ることができる。例えば、額縁やフレームを構成するシート材は、厚紙以外に段ボールや合成樹脂、紙類に合成樹脂を貼り付けたものでもよく、その材料に本人の望む色を着色したり模様を描いたり印刷したりすることもできる。また、額縁を構成する枠部は、断面方向から見て三角形となるものが強度面から考慮して最も望ましいが、第1フラップ部の折線を増やしたり丸めたりすることで、四角形や五角形、八角形などの多角形や、半円や楕円などの円形にすることもできる。
【図面の簡単な説明】
【００２３】
【図１】一実施形態の額縁の展開図である。
【図２】一実施形態の額縁の組立て完成時の背面斜視図である。
【図３】一実施形態の再剥離可能な台紙の平面図である。
【図４】一実施形態の額縁の枠部の断面図である。
【図５】一実施形態の額縁に内容物を入れたときの断面図である。
【符号の説明】
【００２４】
１  本体部
１０、２０、３０、４０  フラップ部
１１（１１ａ、１１ｂ）、２１（２１ａ、２１ｂ、２１ｃ）、３１（３１ａ、３１ｂ）、４１（４１ａ、４１ｂ、４１ｃ）  第１フラップ部
１２、２２、３２、４２  第２フラップ部
１３、２３、３３、４３  第１折線部
１４、２４、３４，４４  第２折線部
１５、２５、３５、４５  第３折線部
２６、４６  第４折線部
５０  接着部
７０  挿入口
８０  スタンド
８１、８３  折込み線
８２  スタンド保持部
８２ａ  スタンド保持部切り込み
８４、８７（８７ａ、８７ｂ）  切り込み線
８５  挿し込み口
８８  スタンド部
９０  溝
９５  台紙
９６  再剥離可能な糊
９７  フイルム
【図１】
2007097855.tif 000003
【図２】
2007097855.tif 000004
【図３】
2007097855.tif 000005
【図４】
2007097855.tif 000006
【図５】
2007097855.tif 000007